(57)【要約】【課題】面積の大きな金型を必要とせず、両端部を並行して装着する溝の長さを防水パッキングの長さよりも長い寸法に設定することにより圧入装着時の伸びを吸収でき、ケースに装着すると環状の防水パッキングと同様の全周にわたって連続した気密性能を保つことができる防水パッキングの取付け構造を提供することを目的とする。【解決手段】防水パッキング装着用環状の溝３の中に、防水パッキング１を装着するためのガイドリブ６を設け、防水パッキング１の両端部を溝３の壁とガイドリブ６との間に圧入し、防水パッキング１の両端部を並行に密着させながら装着する。【選択図】　図１
2004108469.tif 000002
【特許請求の範囲】
【請求項１】
非環状の防水パッキングと、一方のケースと他方のケースとを接合してなる筐体の前記一方のケースの接合部周囲に設け、前記防水パッキングの長さよりも長い寸法を有する環状の溝とを備え、前記防水パッキングの両端部を並行して前記溝に装着することを特徴とする防水パッキングの取付け構造。
【請求項２】
一方のケースの接合部周囲に設けた環状の溝にガイドリブを設け、防水パッキングに前記ガイドリブに対応するガイド溝を設け、前記防水パッキングの捩じれを防ぐことを特徴とする請求項１記載の防水パッキングの取付け構造。
【発明の詳細な説明】
【０００１】
【発明の属する技術分野】
本発明は、映像、音声及びデータを伝送するＣＡＴＶシステムの伝送路における増幅器等の筐体の防水構造に関するものである。
【０００２】
【従来の技術】
従来、ＣＡＴＶシステムの伝送路に用いられる増幅器等の筐体は、屋外に設置されるので内部の電子回路機器を保護するための気密性が要求される。その気密性は、軟質材料からなる環状の防水パッキングとケースに設けた環状の溝との組み合わせによって得られていた（例えば特許文献１を参照。）。
【０００３】
図６に、従来の防水パッキングの取付け構造の分解正面図を示す。
【０００４】
【特許文献１】
特開平１０−３０７２７号公報
【０００５】
【発明が解決しようとする課題】
しかしながら、上記の従来の構成では、軟質材料からなる環状の防水パッキングを得るために穴の部分を含む面積の大きな金型を必要とするという問題点を有していた。
【０００６】
また、環状の防水パッキングは、ケースに設けた環状の溝に組込む時に長さが、不足して引っ張ったり、逆に長さが、余って浮きあがったりするという作業上の問題点を有していた。
【０００７】
また、軟質材料からなる非環状の押し出し成形品は捩じれの無い様にして両端面を接合することにより環状を形成しなければいけないなどの問題点を有していた。
【０００８】
本発明は上記従来の問題点を解決するものであり、小さな押し出し成形金型で成形でき、かつ、両端面を接合する手間を必要としない非環状の防水パッキングで防水性能を満足する防水パッキングの取付け構造を提供することを目的とする。
【０００９】
【課題を解決するための手段】
この目的を達成するために本発明の防水パッキングの取付け構造は、軟質材料からなる非環状の押し出し成形品の防水パッキングと前記防水パッキングを組込む環状の溝とを併せ設けたものである。
【００１０】
この構成によって、気密性の高く、かつ、組込み作業性にも優れた防水パッキングと防水構造が得られる。
【００１１】
【発明の実施の形態】
本発明の請求項１記載の発明は、非環状の防水パッキングと、一方のケースと他方のケースとを接合してなる筐体の前記一方のケースの接合部周囲に設け、前記防水パッキングの長さよりも長い寸法を有する環状の溝とを備え、前記防水パッキングの両端部を並行して前記溝に装着することを特徴としたものであり、面積の大きな金型を必要とせず、両端部を並行して装着する溝の長さを防水パッキングの長さよりも長い寸法に設定することにより圧入装着時の伸びを吸収でき、ケースに装着すると環状の防水パッキングと同様の全周にわたって連続した気密性能を保つことができるという作用を有する。
【００１２】
本発明の請求項２記載の発明は、一方のケースの接合部周囲に設けた環状の溝にガイドリブを設け、防水パッキングに前記ガイドリブに対応するガイド溝を設け、前記防水パッキングの捩じれを防ぐことを特徴としたものであり、防水パッキングの両端部は、捩じれやずれを考慮した接合作業を必要とせず、軟質材料からなる非環状の押し出し成形品であっても捩じれの無い様にして両端面を接合することが容易であるという作用を有する。
【００１３】
以下、本発明の防水パッキングの取付け構造の実施の形態について図を用いて説明する。
【００１４】
（実施の形態１）
図１は、本発明の実施の形態１における防水パッキングの取付け構造の分解正面図である。図２は、本発明の実施の形態１における防水パッキングの取付け構造の防水パッキング装着用環状の溝を示す詳細図である。図３は、図２のＡ−Ａ断面詳細図である。各図において１は防水パッキング、２は後面ケース、３は後面ケースに設けた防水パッキング装着用環状の溝、４は前面ケース、５は防水パッキングに設けたガイド溝、６は環状の溝の中に設けたガイドリブである。
【００１５】
以下その動作について説明する。
【００１６】
防水パッキング１の装着時の伸びを考慮して防水パッキング１よりも長い寸法に設定した、後面ケースに設けた防水パッキング装着用環状の溝３の中に、防水パッキング１を装着するためのガイドリブ６を設け、防水パッキング１の両端部を溝３の壁とガイドリブ６との間に圧入し、防水パッキング１の両端部を並行に密着させながら装着することにより、防水パッキング１の両端部においても連続して気密性を保つことができる。
【００１７】
（実施の形態２）
図４は、本発明の実施の形態２における防水パッキングの取付け構造の防水パッキング装着用環状の溝を示す詳細図である。図５は、図４のＢ−Ｂ断面詳細図である。各図において１は防水パッキング、２は後面ケース、３は後面ケースに設けた防水パッキング装着用環状の溝、４は前面ケース、５は防水パッキングに設けたガイド溝、６は環状の溝の中に設けたガイドリブである。
【００１８】
以下その動作について説明する。
【００１９】
防水パッキング１にガイドリブ６に対応するガイド溝５を設け防水パッキング１のガイド溝６を環状の溝の中に設けたガイドリブ６に圧入することにより防水パッキング１の両端部を並行に密着させながら装着することで、防水パッキング１の捩じれを防ぐことができ、防水パッキング１の両端部においても連続して気密性を保つことができる。
【００２０】
【発明の効果】
以上のように本発明は、面積の大きな金型を必要とせず、両端部を並行して装着する溝の長さを防水パッキングの長さよりも長い寸法に設定することにより圧入装着時の伸びを吸収でき、ケースに装着すると環状の防水パッキングと同様の全周にわたって連続した気密性能を保つことができるという優れた効果が得られる。
【００２１】
また、防水パッキングの両端部は、捩じれやずれを考慮した接合作業を必要とせず、軟質材料からなる非環状の押し出し成形品であっても捩じれの無い様にして両端面を接合することが容易であるという優れた効果が得られる。
【図面の簡単な説明】
【図１】本発明の実施の形態１における防水パッキングの取付け構造の分解正面図
【図２】本発明の実施の形態１における防水パッキングの取付け構造の防水パッキング装着用環状の溝を示す詳細図
【図３】図２のＡ−Ａ断面詳細図
【図４】本発明の実施の形態２における防水パッキングの取付け構造の防水パッキング装着用環状の溝を示す詳細図
【図５】図４のＢ−Ｂ断面詳細図
【図６】従来の防水パッキングの取付け構造の分解正面図
【符号の説明】
１　防水パッキング
２　後面ケース
３　後面ケースに設けた防水パッキング装着用環状の溝
４　前面ケース
５　防水パッキングに設けたガイド溝
６　環状の溝の中に設けたガイドリブ
【図１】
2004108469.tif 000003
【図２】
2004108469.tif 000004
【図３】
2004108469.tif 000005
【図４】
2004108469.tif 000006
【図５】
2004108469.tif 000007
【図６】
2004108469.tif 000008